(57)【要約】【課題】  通気構造を有するアイアンクラブヘッドであって、特に振動吸収材を注入し、発泡が行なわれる時、収容部内の気体を外部に排出して、該収容部全体に均一に振動吸収材を固設するアイアンクラブヘッドを提供する。【解決手段】  本考案は、収容部（１２）を有すると共に、該収容部（１２）と外部とを連通させる、複数の通気路が形成される中空のベース（１０）と、前記ベース（１０）に結合され、収容部をカバーするフェース面板（２０）と、を含むことを特徴とする。【選択図】  図１
0003110063.tif 000002
【実用新案登録請求の範囲】
【請求項１】
収容部（１２）を有すると共に、該収容部（１２）と外部とを連通させる、複数の通気路が形成される中空のベース（１０）と、
前記ベース（１０）に結合される収容部（１２）をカバーするフェース面板（２０）と、を含み、
前記ベース（１０）は、フェース面板（２０）側に前記収容部（１２）と連通する開口（１２２）が形成されると共に、該収容部（１２）の内壁における、前記開口（１２２）側に環状内縁（１４）が設けられ、
前記通気路は、該環状内縁（１４）上に形成される複数の通気凹部（１４２）と、その通気凹部（１４２）の外周縁に、該各通気凹部（１４２）と連通するように形成される通気溝（１４４）と、該通気溝（１４４）と連通する連通孔（１４６）とを含み、該連通孔（１４６）は、前記ベース（１０）のフェース面板（２０）側と反対する側を貫いて外部と連通し、
前記フェース面板（２０）は、ベース（１０）の環状内縁（１４）上に結合されると共に、通気凹部（１４２）、通気溝（１４４）と密接することにより、連通孔（１４６）を介してベース（１０）内の収容部（１２）と外部とを連通する通気路を構成することを特徴とするアイアンクラブヘッド。
【請求項２】
前記ベース（１０）内に更に前記環状内縁（１４）から収容部（１２）側に向って延出する延出部（１８）が設けられ、該延出部（１８）の一端に連通孔（１８２）が穿孔されると共に、該連通孔（１８２）及び通気溝（１４４）と連通する長穴（１８４）が形成されることを特徴とする請求項１に記載のアイアンクラブヘッド。
【請求項３】
前記ベース（１０）における収容部（１２）の底部に更に材料注入孔（１９）が形成され、該材料注入孔（１９）の内壁面にネジ部が形成され、
前記材料注入孔（１９）にはネジ（１９２）が螺合され、該ネジ（１９２）の軸心部分に通気孔（１９４）が形成され、
前記材料注入孔（１９）上に封止部材が設けられ、
前記連通孔（１４６，１８２）が、プレート体により封止され、
前記連通孔（１４６，１８２）が、棒体或いは棒体により封止され、
前記通気凹部（１４２）が、前記環状内縁（１４）上において放射状に形成されることを特徴とする請求項１に記載のアイアンクラブヘッド。
【考案の詳細な説明】
【技術分野】
【０００１】
本考案は、通気構造を有するアイアンクラブヘッドであって、特に振動吸収材を収容部内に注入し、発泡させることにより、収容部内の気体を外部に排出して、該収容部全体に均一に振動吸収材を固設するアイアンクラブヘッドに関するものである。
【背景技術】
【０００２】
一般に振動吸収効果を具備するアイアンクラブヘッドは中空構造であり、収容部を有するベースと、前記ベースの収容部に嵌め込まれるフェース面板と、を有するものである。更に、このような従来のアイアンクラブヘッドは振動吸収効果を具備させるために、その収容部内に振動吸収材を注入することにより、打撃時における振動を吸収してフィーリング効果を高めていた。
【０００３】
更に詳しく説明すると、前記従来のアイアンクラブヘッドに振動吸収を具備させる方法には２種類あり、一つ目は、予め振動吸収材を、金型を用いて収容部よりやや大き目のブロック体に成形し、その後、該ブロック体を収容部内に入れ、最後にフェース面板を強圧しながら半田付けするものであり、二つ目は、収容部の上部に注入孔を形成すると共に、ベースの前面にフェース面板を半田付けし、接着剤を注入孔から収容部内に注入し、その後、発泡材を含まない振動吸収材を収容部内に注入し、最後に前記接着剤と振動吸収材とを加熱してフェース面板と収容部との間に固設するものである。
【考案の開示】
【考案が解決しようとする課題】
【０００４】
しかしながら、前者では、振動吸収材はフェース面板を半田付けする時の高温に耐えることができなく、また、この製造方法では、収容部よりやや大き目に成形したブロック体を直接に収容部内に入れるため、金型コストや成形コストが増大すると共に、フェース面板を収容部内に結合する時は、外側からのみ強圧するので、振動吸収材の振動吸収効果が低下し、且つ収容部内の金属面に確実に接着することができない。
【０００５】
また、後者は、振動吸収材を注入孔から収容部内に注入して、フェース面板と収容部との間に固設するものであるが、この方法では、振動吸収材を注入する前に、予め接着剤を注入する必要があるので、製造コストが増大する上、収容部内に注入する振動吸収材は発泡材を含まないことから、洞部内の気体を膨張により外部へ排出することができないので、収容部内に均一に振動吸収材を充満させることができない。このことから、他の方法により該気体を排出しざるを得なく、コストが更に増大してしまう。
【課題を解決するための手段】
【０００６】
本考案の請求項１においては、収容部（１２）を有すると共に、該収容部（１２）と外部とを連通させる、複数の通気路が形成される中空のベース（１０）と、
前記ベース（１０）に結合される収容部（１２）をカバーするフェース面板（２０）と、を含み、
前記ベース（１０）は、フェース面板（２０）側に前記収容部（１２）と連通する開口（１２２）が形成されると共に、該収容部（１２）の内壁における、前記開口（１２２）側に環状内縁（１４）が設けられ、
前記通気路は、該環状内縁（１４）上に形成される複数の通気凹部（１４２）と、その通気凹部（１４２）の外周縁に、該各通気凹部（１４２）と連通するように形成される通気溝（１４４）と、該通気溝（１４４）と連通する連通孔（１４６）とを含み、該連通孔（１４６）は、前記ベース（１０）のフェース面板（２０）側と反対する側を貫いて外部と連通し、
前記フェース面板（２０）は、ベース（１０）の環状内縁（１４）上に結合されると共に、通気凹部（１４２）、通気溝（１４４）と密接することにより、連通孔（１４６）を介してベース（１０）内の収容部（１２）と外部とを連通する通気路を構成することを特徴とするアイアンクラブヘッド、を提供するものである。
【０００７】
本考案の請求項２においては、前記ベース（１０）内に更に前記環状内縁（１４）から収容部（１２）側に向って延出する延出部（１８）が設けられ、該延出部（１８）の一端に連通孔（１８２）が穿孔されると共に、該連通孔（１８２）及び通気溝（１４４）と連通する長穴（１８４）が形成されることを特徴とする請求項１に記載のアイアンクラブヘッド、を提供するものである。
【０００８】
本考案の請求項３においては、前記ベース（１０）における収容部（１２）の底部に更に材料注入孔（１９）が形成され、該材料注入孔（１９）の内壁面にネジ部が形成され、前記材料注入孔（１９）にはネジ（１９２）が螺合され、該ネジ（１９２）の軸心部分に通気孔（１９４）が形成され、前記材料注入孔（１９）上に封止部材が設けられ、前記連通孔（１４６，１８２）が、プレート体により封止され、前記連通孔（１４６，１８２）が、棒体或いは棒体により封止され、前記通気凹部（１４２）が、前記環状内縁（１４）上において放射状に形成されることを特徴とする請求項１に記載のアイアンクラブヘッド、を提供するものである。
【考案の効果】
【０００９】
本考案は上記の課題を解決するものであり、収容部を有すると共に、該収容部と外部とを連通させる、複数の通気路が形成される中空のベースと、
前記ベースに結合され収容部をカバーするフェース面板と、を含み、
前記ベースは、フェース面板側に前記収容部と連通する開口が形成されると共に、該収容部の内壁における、前記開口側に環状内縁が設けられ、
前記通気路は、該環状内縁上に形成される複数の通気凹部と、その通気凹部の外周縁に、該各通気凹部と連通するように形成される通気溝と、該通気溝と連通する連通孔とを含み、該連通孔は、前記ベースのフェース面板側と反対する側を貫いて外部と連通し、
前記フェース面板は、ベースの環状内縁上に結合されると共に、通気凹部、通気溝と密接することにより、連通孔を介してベース内の収容部と外部とを連通する通気路を構成し、
前記ベース内に更に前記環状内縁から収容部に向って突出する延出部が設けられ、該延出部の一端に連通孔が穿孔されると共に、該連通孔及び通気溝と連通する長穴が形成され、
前記ベースにおける収容部の底部に更に材料注入孔が形成され、該材料注入孔の内壁面にネジ部が形成されると共に、軸心部分に通気孔を有するネジが材料注入孔に螺合され、
前記通気凹部が、前記環状内縁上において放射状に形成される構成を有し、この構成によれば、通気凹部、通気溝及び連通孔により収容部と外部とを連通させることから、振動吸収材を収容部内に注入した時、気体がスムーズに収容部から外部に排出され、振動吸収材を収容部内において均一に発泡させることができ、その結果、収容部全体を振動吸収材によって完全に満たすことができるので、ボールを打撃する際に優れた振動吸収効果が得ることができる。
【考案を実施するための最良の形態】
【００１０】
以下、添付図面を参照して本考案の好適な実施の形態を詳細に説明する。
【実施例】
【００１１】
図１は、本考案に係るアイアンクラブヘッドの第一実施例の分解斜視図であり、図２は、図１におけるアイアンクラブヘッドのベース部分を示す正面図であり、図３は、図１におけるアイアンクラブヘッドの側面断面図であり、図４は、図１におけるアイアンクラブヘッドの拡大側面断面図であり、図５は、図１におけるアイアンクラブヘッドの第二実施例の分解斜視図であり、図６は、図５におけるアイアンクラブヘッドのベース部分を示す正面図であり、図７は、図５におけるアイアンクラブヘッドの側面断面図であり、図８は、図５におけるアイアンクラブヘッドの拡大側面断面図であり、図９は、本考案に係るアイアンクラブヘッドの第三実施例の分解斜視図であり、図１０は、図９におけるアイアンクラブヘッドのベース部分を示す正面図であり、図１１は、図９におけるアイアンクラブヘッドの側面断面図であり、図１２は、本考案に係るアイアンクラブヘッドの第四実施例の分解斜視図であり、図１３は、図１２におけるアイアンクラブヘッドのベース部分を示す正面図であり、図１４は、図１２におけるアイアンクラブヘッドの側面断面図であり、図１５は、図１２におけるアイアンクラブヘッドの背面図であり、図１６は、図９におけるアイアンクラブヘッドの背面図である。
【００１２】
図１乃至図４に示すように、本考案の第一実施例は、収容部（１２）を有する中空のベース（１０）と、該ベース（１０）に収容部（１２）をカバーするように圧力により固設されるフェース面板（２０）とを有する。
【００１３】
前記ベース（１０）は、末端に行くにつれて広がる略四方形の中空体であり、その中空部分には収容部（１２）が形成され、フェース面板側に収容部（１２）と連通する開口（１２２）が形成されると共に、該収容部（１２）の内壁における、開口（１２２）側に環状内縁（１４）が設けられ、該環状内縁（１４）はフェース面板（２０）がベース（１０）に取付けられる時に、該フェース面板（２０）に当接される。更に、前記ベース（１０）における通気路は、前記環状内縁（１４）上に形成される複数の通気凹部（１４２）と、その通気凹部（１４２）の外周縁に、該各通気凹部（１４２）と連通するように、環状内縁（１４）上に形成される通気溝（１４４）と、該通気溝（１４４）と連通する連通孔（１４６）とを含み、その内、通気凹部（１４２）は、前記環状内縁（１４）上において放射状に形成され、連通孔（１４６）は、通気溝（１４４）を貫いてベース（１０）のフェース面板側と反対する側から外部と連通する。
【００１４】
前記のような構造であるから、図４に示すように、前記フェース面板（２０）が、ベース（１０）の前側に加圧により結合される時、前記通気凹部（１４２）と通気溝（１４４）とがクラブヘッド内の通気路となり、連通孔（１４６）から気体が外部へ排出される。
【００１５】
次に、本考案に係るアイアンクラブヘッドの第一実施例の製造方法を説明する。
第一実施例においては、発泡材などを含有する顆粒状、粉末状或いは塊状の振動吸収材（３０）、例えば、熱可塑性弾性体（Thermoplastic elastmer,TPE）を予め収容部（１２）内に入れ、その後、異なる材質或いは同じ材質のフェース面板（２０）をベース（１０）上に圧着し、ヘッド部を１７０〜１８０℃の温度で加熱することにより、熱可塑性弾性体である振動吸収材（３０）を溶融して発泡させ、収容部（１２）全体に均一に充填する。この時、即ち発泡時には、収容部（１２）内の余分な気体が通気凹部（１４２）及び通気溝（１４４）を通って連通孔（１４６）から外部に排出されることから、気体が収容部（１２）内に残留することにより発生する内圧で、発泡が妨げられることはないので、収容部（１２）全体に均一に振動吸収材（３０）を充填することができる。
【００１６】
図５乃至図８に示すように、本考案の第二実施例の構造は、前記第一実施例とほぼ同じであるが、第二実施例ではベース（１０）内に更に前記環状内縁（１４）から収容部（１２）側に向って突出する延出部（１８）が設けられ、該延出部（１８）の一端に連通孔（１８２）が穿孔されると共に、該連通孔（１８２）及び通気溝（１４４）と連通する長穴（１８４）が形成される。また、前記通気溝（１４４）の溝は非常に細く形成されるため、振動吸収材の発泡中、通気路から該振動吸収材が外部へ漏洩することはない。
【００１７】
図９乃至図１１、図１６に示すように、本考案の第三実施例の構造は、前記第一実施例とほぼ同じであるが、異なる点としては、該第一実施例では固体状の振動吸収材しか使用できないのに対し、第三実施例では液体状、顆粒状或いは粉末状が使用できることである。
【００１８】
前記第三実施例の構造は、収容部（１２）の底部に更に、内壁面にネジ部（符号なし）を有する材料注入孔（１９）が形成されると共に、該材料注入孔（１９）には、軸心部分に通気孔（１９４）を有するネジ（１９２）が螺合され、該ネジ（１９２）は、振動吸収材の発泡が完了した後に取外し、封止部材（図示せず）を材料注入孔（１９）に嵌め込み封止する。
【００１９】
また、第三実施例の製造方法は、フェース面板をベース（１０）に圧着或いは半田付けした後、前記材料注入孔（１９）から適量の振動吸収材（例えば、ＰＵ、二液性発泡振動吸収材或いは顆粒状や粉末状の固体状振動吸収材など）を収容部（１２）内に注入する。また、ＰＵからなる振動吸収材、顆粒状或いは粉末状の振動吸収材は、加熱により発泡して、収容部内の気体が連通孔（１４６）或いは連通孔（１９４）から外部に排出されることにより、該収容部（１２）全体に均一に固設される。
【００２０】
図１２乃至図１５に示すように、本考案の第四実施例の構造は、前記３つの実施例を組合わせた特徴を有し、即ち、延出部（１８）及び材料注入孔（１９）が設けられたものである。故に、連通孔（１８２）から気体を排出することにより、液状、顆粒状或いは粉末状の振動吸収材をより簡単に且つ確実に収容部（１２）全体に均一に固設させることができる。
【００２１】
また、図１５及び図１６に示すように、前記連通孔（１４６，１８２）は、発泡が完了した後、封止され、更に、一般にベース（１０）の後側における連通孔（１４６，１８２）を有する位置には、溝部（符号なし）が形成されており、該溝部は銘柄や装飾が施されているプレート体（符号なし）により封止されている。
【００２２】
上述したように、本考案のアイアンクラブヘッドは、通気凹部（１４２）、通気溝（１４４）及び連通孔（１４６，１８２）を形成することにより、発泡時における振動吸収材の漏洩を防ぐと同時に、収容部内の余分な気体を排出することもできることから、振動吸収材の成形後には、振動吸収材を収容部（１２）全体に均一に固設させることができるので、ゴルフボールを打撃する際に優れた振動吸収効果を得ることができる。更に、材料注入孔（１９）を形成することにより、液体状、顆粒状、粉末状の振動吸収材を用いることができるので、製造上の利便性が非常に高い。
【図面の簡単な説明】
【００２３】
【図１】本考案に係るアイアンクラブヘッドの第一実施例の分解斜視図である。
【図２】図１におけるアイアンクラブヘッドのベース部分を示す正面図である。
【図３】図１におけるアイアンクラブヘッドの側面断面図である。
【図４】図１におけるアイアンクラブヘッドの拡大側面断面図である。
【図５】本考案に係るアイアンクラブヘッドの第二実施例の分解斜視図である。
【図６】図５におけるアイアンクラブヘッドのベース部分を示す正面図である。
【図７】図５におけるアイアンクラブヘッドの側面断面図である。
【図８】図５におけるアイアンクラブヘッドの拡大側面断面図である。
【図９】本考案に係るアイアンクラブヘッドの第三実施例の分解斜視図である。
【図１０】図９におけるアイアンクラブヘッドのベース部分を示す正面図である。
【図１１】図９におけるアイアンクラブヘッドの側面断面図である。
【図１２】本考案に係るアイアンクラブヘッドの第四実施例の分解斜視図である。
【図１３】図１２におけるアイアンクラブヘッドのベース部分を示す正面図である。
【図１４】図１２におけるアイアンクラブヘッドの側面断面図である。
【図１５】図１２におけるアイアンクラブヘッドの背面図である。
【図１６】図９におけるアイアンクラブヘッドの背面図である。
【符号の説明】
【００２４】
１０        ベース
１２        収容部
１２２        開口
１４        環状内縁
１４２        通気凹部
１４４        通気溝
１４６        連通孔
１８        延出部
１８２        連通孔
１８４        長穴
１９        材料注入孔
１９２        ネジ
１９４        通気孔
２０        フェース面板
３０        振動吸収材
【図１】
0003110063.tif 000003
【図２】
0003110063.tif 000004
【図３】
0003110063.tif 000005
【図４】
0003110063.tif 000006
【図５】
0003110063.tif 000007
【図６】
0003110063.tif 000008
【図７】
0003110063.tif 000009
【図８】
0003110063.tif 000010
【図９】
0003110063.tif 000011
【図１０】
0003110063.tif 000012
【図１１】
0003110063.tif 000013
【図１２】
0003110063.tif 000014
【図１３】
0003110063.tif 000015
【図１４】
0003110063.tif 000016
【図１５】
0003110063.tif 000017
【図１６】
0003110063.tif 000018